(57)【要約】【課題】雨水を傘の中央に集めて排水するパラソルがあったが、操作や取り扱いが面倒な上全開しなければ使えないので、簡易な操作で雨水を排水しかつ全開及び任意の範囲の展開でも使用できる高機能型のパラソルを提供する。【解決手段】台座２に、中空支柱４の下部と上部寄りに排水穴３を設けて成る上部の排水穴３部位に、集水ジョウゴ５を取り付けた中空支柱４の上端に基盤６を固定した前記基盤６に、複数本の軸傘骨７ａをボルト９で可動軸止した端部に一定の長さの傘骨７を連結して成る、前記軸傘骨７ａに調節ネジ１３を取り付けた傘骨７体に、覆い部材１６として、中心部に開口部１５を有し、かつ一周部より開口部１５までカットしたシート１６を張り付けたパラソル。【選択図】  図５
2004329844.tif 000002
【特許請求の範囲】
【請求項１】
販売や展示用に対応するパラソルであって、一定の長さの中空支柱の下部と上部寄りに排水穴を設けて成る前記上部の排水穴部位に、集水ジョウゴを設けた中空支柱を台座に取り付けた前記中空支柱の上端に基盤を固定し、該基盤に複数本の軸傘骨を水平に動くようにボルトで可動軸止した端部に、一定の長さの傘骨を連結して成る各傘骨体に、覆い部材として、中心部に開口部を有し、かつ一周部より開口部までカットしたシートを張り付けた構成を特徴とする高機能型パラソル。
【請求項２】
基盤に取り付けられた軸傘骨に連結される傘骨が可動軸止され、かつ軸傘骨に取り付けた調節ネジにより前記傘骨が上方に傾斜する構成である請求項１に記載する高機能型パラソル。
【請求項３】
パラソルの傘骨に張る覆い部材が、シートに代えてネットを張った構成である請求項１又は請求項２に記載する高機能型パラソル。
【発明の詳細な説明】
【０００１】
【発明の属する技術分野】
本発明は、移動販売車に備えたり、広場や会場などにおける販売や展示などの際に、雨や強い日光を効果的に防ぐことができる機能性高いパラソルに関する。
【０００２】
【従来の技術】
従来、販売や展示などに用いられるパラソルは、一般に用いられる雨傘を３倍くらい大きくしたタイプであり、これ以外のタイプとしては、パラソル面に降った雨水を中央に集約して流すことによりパラソル外周から落ちる雨水で濡れるのを防ぐパラソルの技術がある（例えば、特許文献１参照。）。
【０００３】
【特許文献１】
特開２０００−１０６９２７号公報（第２−３頁、第１図）
【０００４】
上記した特開２０００−１０６９２７号公報におけるパラソルは、立設された内部に空間がある支柱、該支柱に環合されて上下に動く摺動環と、該摺動環に自在に取り付けられた複数の骨組と各骨組間に雨が漏れないように張られたシートと、該支柱の頂端部と該骨組の中間部とをそれぞれピンで結合したガイド部材とから成るパラソルにおいて、該支柱の頂端部には第２滑車を固定し、また該支柱下方部にワイヤー挿通孔を設けるとともに、ワイヤー挿通孔近郊に第１滑車を支柱に固定し、パラソル下方部に設置したウインチからのワイヤーロープをワイヤー挿通孔に通し、第１滑車に掛けて該支柱内部の上方部にて、該ワイヤーロープを第２滑車に掛けて支柱外側に出し、さらに支柱外側に出たワイヤーロープを該摺動環に固定し、ウインチにてワイヤーロープを巻き込むことにより、該支柱の中間部に環合している摺動環を上昇させて傘骨が開くパラソルである。
【０００５】
【発明が解決しようとする課題】
以上のようなパラソルや技術が提供されており、目的とする雨や日光を防ぐことはもとより、特開２０００−１０６９２７号に開示されるタイプは雨水をパラソルの外周より落ちるのを防ぐことが可能なパラソルの技術である。
【０００６】
しかし従来より用いられるパラソルは日常的に使われる雨傘を大きくしたタイプであるので、シンプルではあるが雨水はパラソルの周囲よりボタボタと落ちるので、お客様や使用者自身も濡れることが多いなどの不便や欠点があった。
【０００７】
次に特開２０００−１０６９２７号に開示される技術は、パラソル面をジョウゴ状に上向きにすることが可能であるので、降った雨水を中央に集約しかつ支柱内部を通した水を下部より排出するので、パラソル周囲よりボタボタ落ちるのを防ぐことは可能である。
【０００８】
しかし、このパラソルの構成部材は多くて複雑なため操作も面倒であり、かつ折りたたみも簡易にして機能的に折りたたみすることが難しい。さらにパラソル面を上向きにすることはできるが、必要な場合はパラソルの一部を上向きにし、残りは水平にしたり、また全開以外に任意の範囲のみ展開することは構成的に無理であるので、例えば風などによる雨の吹き込みや、斜めからの強い日差しなどに対応して効果的にバラソル面の角度や覆う範囲を調節することができない。さらに折りたたみも可能であるが、支柱に寄せ集めて棒状に折りたたむ方式であるため、移動販売車などのような狭い空間に一体に備えて使用することは構造的に無理であるなどの不便や欠点があるパラソルの技術であった。
【０００９】
本発明は上記したような従来の欠点や不便を解消した高機能のパラソルを提供するものであり、以下、その手段及び実施の形態を示す。
【００１０】
【課題を解決するための手段】
上記の目的を達成するために本発明による請求項１においては、台座に中空支柱の下部と上部寄りに排水穴を設けて成る中空支柱上部の排水穴部位に、集水ジョウゴを取り付けた中空支柱の上端に基盤を固定し、さらにその基盤には複数本の軸傘骨を水平に動くようにボルトで可動軸止して成る端部に一定の長さの傘骨を連結した傘骨体に、覆い部材として、中心部に開口部を有しかつ一周部より開口部までカットしたシートを張り付けたパラソルを構成する。
【００１１】
請求項２においては、基盤に取り付けられた複数本の軸傘骨に連結される傘骨が軸傘骨に可動軸止され、かつ軸傘骨に取り付けた調節ネジにより傘骨が上方に傾斜するパラソルを構成する。
【００１２】
請求項３においては  パラソルの傘骨に張る覆い部材をシートに代えてネットを張ったパラソルとするが、以下、さらに具体的な実施の形態を詳述する。
【００１３】
【発明の実施の形態】
本発明によるパラソルの実施の形態を、図１に示す正面図と図２に示す平面図、図３及び図４のパラソルの要部となる展開角度調節機構を示す拡大平面図、図５に示す要部拡大断面図と図６のイ、ロに示す角度調節部の拡大断面図を参照しながら説明する。
【００１４】
この発明におけるパラソル１の実施の形態は、適度な大きさの台座２に、上下に排水穴３，３を設けた中空支柱４を固定し、その中空支柱４上部に位置する排水穴３の周部位に集水ジョウゴ５を取り付けた中空支柱４の上端部に、前記した集水ジョウゴ５の径より小さい基盤６を固定する。
【００１５】
さらにその基盤６面には、図３〜図６に示すように複数本の傘骨７，７の展開角度調節機構８として、前記基盤６の一部に断面が矩形状を成す１本の軸傘骨７ａを２本のボルト９で固定し、さらにその軸傘骨７ａの左右部位には，等間隔に展開する各４本の軸傘骨７ａを一枚の挟み板１０で挟んだ上でボルト９で可動軸止したもの二組を、前記の固定した軸傘骨７ａを基点とする左右の対向部位の基盤６面に可動軸止する。
【００１６】
次に以上のように形成した各軸傘骨７ａには一定の長さの傘骨７を連結して傘骨本体を形成する。まず前記した軸傘骨７ａは断面が矩形状であるが、少なくともその外側端部寄りは上面を欠いたコの字状とし、そのコの字状の内側に傘骨７端部を位置させた最端部を軸傘骨７ａに軸ネジ１１で可動軸止し、かつ前記軸傘骨７ａの外側寄り下部には、図６に示すように雌ネジ穴１２を設けて調節ネジ１３を取り付ける。
【００１７】
以上のように形成した各傘骨７，７を等間隔に全開した傘骨７体には、覆い部材１４として、中心部に開口部１５を形成する合成樹脂や布地等によるシート１６の一周部より開口部１５までカットしたシート１６を、前記の固定して成る軸傘骨７ａに対向する２本の軸傘骨７ａ，７ａ及び傘骨７，７部まで、前記したシート１６のカット部が位置するように張り付けて開閉自在な接合部１７を形成するパラソル１を構成する。
【００１８】
以上のような実施の形態を成すパラソル１の各傘骨７は、基盤６面に挟み板１０とボルト９で可動軸止することで水平方向に展開できるため、図７に示すように半分または任意の範囲まで展開することが可能であり、また覆い部材１４も図示するようにシート１６に代えてネット１８でもよい。
【００１９】
本発明のパラソル１は以上のような構成としているので、まず中空支柱４の上部に設けた排水穴３周部には集水ジョウゴ５を設けた中空支柱４上端部に固定した基盤６に、複数本の傘骨７が連結された軸傘骨７ａが水平方向に可動自在に軸止した構成であるので、傘骨７の展開及び折りたたみは時は水平に動くため、雨や日光の状態に応じてパラソル１の展開範囲は全周はもとより、図７に示すように半分もしくは任意の範囲に展開して使用することが可能であり、折りたたむと図２に示すように固定した軸傘骨７ａ部に細く折りたためる。
【００２０】
加えて、軸傘骨７ａに連結された傘骨７は一本の軸ネジ１１により上方に可動軸止し、かつ軸傘骨７ａには調節ネジ１３を取り付けているので、この調節ネジ１３により、傘面は水平はもとより上向きのジョウゴ状にすることができるため、傾斜させた場合は傘面に降った雨水は中央に集まりシート１６の開口部１５より、集水ジョウゴ５、排水穴３を経て中空支柱４下部の排水穴３より排出される。さらに覆い部材１４を図７に示すようにシート１６に代えてネット１８を採用した場合は、小雨程度はもとより強い日差しを防ぎながらも風を通すことが可能な覆い部材１４となるので、突風の場合でもパラソル１が傾いたりしにくい。
【００２１】
この発明におけるパラソル１は以上のような構成であるが、複数本の軸傘骨７ａとそれに連結された傘骨７により全開及び任意の範囲の展開が可能であるが、その構成における軸傘骨７ａの一を固定することで、これを基骨として左右の軸傘骨を７ａの展開や折りたたみを容易としているが、必ずしも固定せず全部の軸傘骨７ａを可動軸止しても構わない。また傘に張る覆い部材１４となるシート１６やネット１８以外の他の素材でも構わない。
【００２２】
【発明の効果】
本発明によるパラソルは、中空支柱の上部を基点として水平方向に可動するので、折りたたみ及び展開操作が容易にできる構成であり、かつ軸傘骨には調節ネジを設けているので、それに可動連結した傘骨をジョウゴ状に任意の角度に傾斜させることが可能である。したがって中央に集めた雨水は開口部より集水ジョウゴから中空支柱内部を経て下部の排水穴より処理できるので、パラソルの周囲からボタ落ちする雨水で濡れるのを大幅に減少させられる。
【００２３】
さらに、パラソルの展開は水平方向に傘骨を広げられるので、お客様側のみ半分展開したり任意の範囲を覆うことも自在である。それに加えて各傘骨の傾斜は単独に調節することもできるので、全開及び半開時を問わず任意の傘骨を上下した状態に設定可能であるため、例えば強い日差しの場合はその方向は水平にし、それ以外のパラソル面は上方に傾斜させて使えるなど機能的かつ多様な使い方ができるパラソルを提供する。
【００２４】
またパラソルの覆い部材はビニール地や布地の他にネットなども張れるので、用途や季節に応じて取り替え自在であるから単に雨や日光の防止のみならず、今までにない雰囲気や趣も演出できるので、従来には見られない多様なパラソルの使い方を楽しむことができる。さらに構成はシンプルにして強固に形成されるので、慣れない者でも展開及び折りたたみ操作は容易にあり、強い雨はもとよりや風雪にも耐えられる耐久性ある高機能型パラソルである。
【図面の簡単な説明】
【図１】本発明のパラソルの実施の形態を示す正面図である。
【図２】パラソルの展開状態を示す平面図である。
【図３】パラソルの要部となる展開角度調節機構を示す拡大平面図である。
【図４】パラソルを閉じた状態の展開角度調節機構を示す拡大平面図である。
【図５】パラソルを展開した状態の要部拡大縦断面図である。
【図６】イ、ロ図は傘骨の角度調節状態を示す拡大断面図である。
【図７】パラソルの半開き状態と他の覆い部材を示す平面図である。
【符号の説明】
１・パラソル
２・台座
３・排水穴
４・中空支柱
５・集水ジョウゴ
６・基盤
７・傘骨
７ａ・軸傘骨
８・展開角度調節機構
９・ボルト
１０・挟み板
１１・軸ネジ
１２・雌ネジ穴
１３・調節ネジ
１４・覆い部材
１５・開口部
１６・シート
１７・接合部
１８・ネット
【図１】
2004329844.tif 000003
【図２】
2004329844.tif 000004
【図３】
2004329844.tif 000005
【図４】
2004329844.tif 000006
【図５】
2004329844.tif 000007
【図６】
2004329844.tif 000008
【図７】
2004329844.tif 000009